(57)【要約】【課題】  主に戸建住宅の庭等の屋外に単独に設けられる宅配ボックスに関し、良好な性能の防水構造を提供する。【解決手段】  宅配ボックスは、唯一の収納空間を持ち、その収納空間前面の開口部には開閉自在な扉を設け、この収納空間の開口部には、その四周に沿って取り囲むように設けられ、その先端を外向きに屈曲させて形成された框を備える。その一つである底板２ｃの框５ｃは、Ｌ字形状断面の板状部材に、さらにその先端に折返しを形成したものである。この防水構造により、扉を閉じた状態でその内面が框に覆いかぶさり雨滴が収納空間に直接入ることを防止するとともに、先端の折り返しにより框に溜まった雨水が収納空間に入ることなく流れ、外部に排出されるようになっている。框は、四周に設けられているので、良好な防水性能を備える。【選択図】図７
2020031734.tif 000002
【特許請求の範囲】
【請求項１】
略直方体の収納空間を構成する左右側板、天板、底板及び背板と、前記収納空間の前面の開口部に設けられる開閉自在な扉とを備える宅配ボックスにおいて、前記開口部の四周に沿って框が設けられ、前記框は、前記扉が閉じた状態において前記扉の内側部分と重なるように構成され、前記框は、断面略Ｌ字形状になっており、さらに、その先端に折返しが設けられていることを特徴とする宅配ボックス。
【発明の詳細な説明】
【技術分野】
【０００１】
本発明は、主に戸建住宅の庭等の屋外に単独で設けられる宅配ボックスに関し、特にその防水構造に関する。
【背景技術】
【０００２】
従来の宅配ボックスは、それぞれ独立して開閉される扉を備える複数の収納空間を持ち、集合住宅の屋内に設置されるものが多かった。屋外に設置されるものもあるがやはり複数の収納空間を持つ大規模なものであり、唯一の収納空間を持つものは少なかった。このような集合タイプの宅配ボックスは、管理のための専用の制御部を持ち、この制御部が複数の収納空間それぞれについて扉の開閉を制御している。
【０００３】
従来の宅配ボックスは上記のような複数の収納空間を持つものであったので、それを戸建住宅に設置することができなかった。しかし、利用者にとっては留守中であっても荷物を受け取れるという便利さから、宅配業者にとっては荷物の持ち帰りを減らすことができコスト削減になることから、戸建住宅についても宅配ボックスの要求は根強く存在する。
【０００４】
戸建住宅用の宅配ボックスには、集合住宅の宅配ボックスとは異なる構造及び制御を行う必要がある。例えば、（１）既存の戸建住宅にも利用してもらうことを考え、設置場所を問わないこと、例えば庭先のように屋外であっても設置可能なこと、（２）唯一の収納空間で足り、これに応じて制御は簡単かつローコストのものであること、（３）設置が容易に行えること、（４）保守が不要あるいは簡易であること、などが求められる。これらの条件は、従来の複数の収納空間を持つ宅配ボックスでは達成できなかったものである。
【発明の概要】
【発明が解決しようとする課題】
【０００５】
上記（１）の屋外設置を可能とするためには、収納空間に入れられた荷物が濡れないように防水構造を採用する必要がある。しかし、従来の宅配ボックスは、複数の収納空間の全体を覆うような屋根を設ける、あるいはそもそも屋内設置を条件とするなど、個々の収納空間について防水を考慮したものではなかった。このため、従来の宅配ボックスの構造を単独設置の戸建住宅用の構造として採用することはできない。
【０００６】
上記課題に鑑み、本発明は、主に戸建住宅の庭等の屋外に単独に設けられる宅配ボックスの防水構造を提供するものである。
【課題を解決するための手段】
【０００７】
この発明に係る宅配ボックスは、略直方体の収納空間を構成する左右側板、天板、底板及び背板と、前記収納空間の前面の開口部に設けられる開閉自在な扉とを備える宅配ボックスにおいて、前記開口部の四周に沿って框が設けられ、前記框は、前記扉が閉じた状態において前記扉の内側部分と重なるように構成され、前記框は、断面略Ｌ字形状になっており、さらに、その先端に折返しが設けられているものである。
【０００８】
本発明に係る宅配ボックスは、唯一の収納空間を持ち、その収納空間前面の開口部には開閉自在な扉を設け、この収納空間の開口部には、その四周に沿って取り囲むように設けられ、その先端を外向きに屈曲させて形成された框を備える。框は、Ｌ字形状断面の板状部材に、さらにその先端に折返しを形成したものである。框が防水構造を構成する。扉を閉じた状態で扉の内面が框に覆いかぶさり雨滴が収納空間に直接入ることを防止するとともに、先端の折り返しにより框に溜まった雨水が収納空間に入ることなく流れ、外部に排出されるようになっている。框は、収納空間の前面の下辺（底板）を含む四周に設けられているので、良好な防水性能を備える。
【図面の簡単な説明】
【０００９】
【図１】発明の実施の形態に係る宅配ボックスの斜視図である。
【図２】扉を開いた状態の斜視図である。
【図３】扉を開いた状態の左上隅の拡大図である。
【図４】扉を開いた状態の左下隅の拡大図である。
【図５】扉を開いた状態の右内面（扉取付部）の斜視図である。
【図６】宅配ボックスの開口部を示す図（正面図）である。
【図７】宅配ボックスの底板を示す図（正面図、平面図、右側面図）である。
【図８】框の断面図である。
【発明を実施するための形態】
【００１０】
図１〜図７は、発明の実施の形態に係る宅配ボックス１を示す。
【００１１】
この宅配ボックス１は、左側板２ｂ、右側板２ｄ、天板２ａ、底板２ｃ及び背板（符号省略）を備える。これらは、荷物を置くための略立方体又は直方体の収納空間を構成する。収納空間の前面の開口部には、開閉自在な扉４が設けられる。
【００１２】
記開口部の四周に沿って框５ａ〜５ｄが設けられている。框５ａ〜５ｄは、扉４が閉じた状態において扉４の内側部分と重なるように構成されている。
【００１３】
図８の框の断面図に示すように、框５ａ〜５ｄは、その先端を外向きに屈曲させた構造をしている。具体的には、その断面は略Ｌ字形状５１になっており、さらに、その先端に折返し５２が設けられている。略Ｌ字形状５１の他端は略直角に曲げられ、折返し５２とは反対方向に延長されている。この延長部分５３が取付部となる。符号Ａの部分で、左側板２ｂ、右側板２ｄ、天板２ａ、底板２ｃに固定される。框５ａ〜５ｄの端部は、それぞれ隣接する他の框の端部と溶接などで接合される（図７の符号Ｂ）。
【００１４】
扉４は、差込鍵の受け部１０と、把手１１とを備える。差込鍵によって錠を解錠し、扉４を開く機構を備える（図示せず）。窓（開口）１２が設けられている。
【００１５】
框５ａ〜５ｄは、例えばスポット溶接により、それぞれ左側板２ｂ、右側板２ｄ、天板２ａ、底板２ｃに取り付けられる。図７では、符号Ｂが溶接位置である（溶接箇所は全部で５箇所であるが、便宜上そのうちの１つにのみ符号Ｂを付している）。
【００１６】
扉４は、その右側面の上下にヒンジ２０を備え、ヒンジ２０を介して開閉自在に天板２ａと底板２ｃに取り付けられる。図７の符号Ｃは底板に設けられたヒンジ２０の受け部（開口）を示す。
【００１７】
框５ａ〜５ｄが防水構造を構成する。扉４を閉じた状態で扉４の内面が框に覆いかぶさり雨滴が収納空間に直接入ることを防止するとともに、先端の折り返し５２により框５ａ〜５ｄに溜まった雨水が収納空間に入ることなく流れ、外部に排出されるようになっている。框５ａ〜５ｄは、収納空間の前面の下辺（底板２ｃ）を含む四周に設けられているので、良好な防水性能を備える。
【００１８】
加えて、框５ａ〜５ｄにより収納空間が補強され、扉のねじれ強度が保たれるようになる。框５ａ〜５ｄがない場合は、この宅配ボックスのサイズでは扉のねじれ強度が保たれず、上下で鍵をかける（ロックする）必要が生じる。上下に鍵をかける構造にしないと、扉が歪み中身が見えるおそれがある。框５ａ〜５ｄを設けることにより鍵は一点で止めることが可能となり、構造を単純化できる。
【符号の説明】
【００１９】
１    宅配ボックス
２ａ  天板
２ｂ  左側板
２ｃ  底板
２ｄ  右側板
４    扉
５ａ  天板の框
５ｂ  左側板の框
５ｃ  底板の框
５ｄ  右側板の框
５１  框の断面Ｌ字状部分
５２  框の折り返し部分
５３  框の取付部
１０    差込鍵の受け部
１１    把手
１２    窓
【図１】
2020031734.tif 000003
【図２】
2020031734.tif 000004
【図３】
2020031734.tif 000005
【図４】
2020031734.tif 000006
【図５】
2020031734.tif 000007
【図６】
2020031734.tif 000008
【図７】
2020031734.tif 000009
【図８】
2020031734.tif 000010